(57)【要約】【課題】家庭電気製品を収納した状態で使用できるようにした家庭電気製品収納庫において、上下左右に様々なキャビネットを設けたシステムキッチンにおいても、すっきりと家庭電気製品を収納できるようにし、扉部材を閉めた状態だけでなく、扉部材を開放した状態でも収納した家庭電化製品を動作できるようにし、かつ安定した吸気を確保する。【解決手段】キャビネット１内に、家庭電気製品４を収納する前面が開口した家庭電気製品収納部２を設け、この家庭電気製品収納部２の天面に家庭電気製品４から排出される熱気・蒸気を家庭電気製品収納部２外へ排出する蒸気排出口６を有する蒸気処理装置５を設け、家庭電気製品収納部２の前面開口部を扉部材７により開閉自在に覆う。家庭電気製品収納部２の天井面と蒸気処理装置５の上面との間に扉部材７を収納する扉収納空間８を設け、扉部材７に、外気を導入する吸気口を設ける。【選択図】図１
2006334130.tif 000002
【特許請求の範囲】
【請求項１】
キャビネットと、このキャビネット内に設け家庭電気製品を収納する前面が開口した家庭電気製品収納部と、この家庭電気製品収納部の天面に設け家庭電気製品から排出される熱気・蒸気を家庭電気製品収納部外へ排出する蒸気排出口を有する蒸気処理装置と、前記家庭電気製品収納部の前面開口部を開閉自在に覆う扉部材とを備え、前記家庭電気製品収納部の天井面と前記蒸気処理装置の上面との間に前記扉部材を収納する扉収納空間を設け、前記扉部材に、外気を導入する吸気口を設けた家庭電気製品収納庫。
【請求項２】
扉部材の下端付近に扉部材開閉時に操作する把手を設け、扉部材開放時に、扉部材を蒸気処理装置の上方に設けた扉収納空間に収納したとき、前記把手の位置と蒸気排出口の位置が対向しないよう構成した請求項１記載の家庭電気製品収納庫。
【請求項３】
扉部材に設けた吸気口は、前記扉部材を収納した状態で、扉部材が扉収納空間から突出している部位で、かつ蒸気排出口上方に略一致している部位に設けた請求項１または２記載の家庭電気製品収納庫。
【請求項４】
蒸気排出口は、蒸気処理装置の前面よりも凸となる位置に設けた請求項１記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、全面が開口し家庭電気製品を収納する家庭電気製品収納部を設け、この家庭電気製品収納部の前面開口部を扉部材で開閉自在に覆い、家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【特許文献１】特開平５−１５４０４２号公報
【発明の開示】
【発明が解決しようとする課題】
【０００３】
このような従来の構成では、扉部材がキャビネットと一体になっており、扉部材を開けた状態では扉部材が邪魔になり使用できないという問題を有し、また、排出装置を動作させることにより外気を家庭電気製品収納部内に吸引する吸気口は床面付近に設けており、下段にものを入れられると吸気が安定しないという問題があり、さらに、床面設置のため設置の自由度がなく、使い勝手がよくないという問題を有していた。
【０００４】
本発明は上記従来の課題を解決するもので、扉部材を閉めた状態だけでなく、扉部材を開放した状態でも収納した家庭電化製品を動作させることができるようにするとともに、扉部材を閉めた状態で収納した家庭電化製品を動作させるときにも、安定した吸気を確保し、使用者が使いやすい高さに設置できるようにして設置の自由度を高めることを目的としている。
【課題を解決するための手段】
【０００５】
本発明は上記目的を達成するために、キャビネット内に、家庭電気製品を収納する前面が開口した家庭電気製品収納部を設け、この家庭電気製品収納部の天面に家庭電気製品から排出される熱気・蒸気を家庭電気製品収納部外へ排出する蒸気排出口を有する蒸気処理装置を設け、家庭電気製品収納部の前面開口部を扉部材により開閉自在に覆うよう構成し、家庭電気製品収納部の天井面と蒸気処理装置の上面との間に扉部材を収納する扉収納空間を設け、扉部材に、外気を導入する吸気口を設けたものである。
【０００６】
これにより、上下左右に様々なキャビネットを設けたシステムキッチンにおいても、見た目にすっきりと家庭電気製品を収納することができ、扉部材を閉めた状態だけでなく、扉部材を開放した状態でも収納した家庭電化製品を動作させることができるとともに、扉部材に外気を導入する吸気口を設けることで、扉部材を閉めた状態で収納した家庭電化製品を動作させるときにも、安定した吸気を確保することができ、使用者が使いやすい高さに設置できて設置の自由度を高めることができる。
【発明の効果】
【０００７】
本発明の家庭電気製品収納庫は、上下左右に様々なキャビネットを設けたシステムキッチンにおいても、見た目にすっきりと家庭電気製品を収納することができ、扉部材を閉めた状態だけでなく、扉部材を開放した状態でも収納した家庭電化製品を動作させることができるとともに、扉部材に外気を導入する吸気口を設けることで、扉部材を閉めた状態で収納した家庭電化製品を動作させるときにも、安定した吸気を確保することができ、使用者が使いやすい高さに設置できて設置の自由度を高めることができる。
【発明を実施するための最良の形態】
【０００８】
第１の発明は、キャビネットと、このキャビネット内に設け家庭電気製品を収納する前面が開口した家庭電気製品収納部と、この家庭電気製品収納部の天面に設け家庭電気製品から排出される熱気・蒸気を家庭電気製品収納部外へ排出する蒸気排出口を有する蒸気処理装置と、前記家庭電気製品収納部の前面開口部を開閉自在に覆う扉部材とを備え、前記家庭電気製品収納部の天井面と前記蒸気処理装置の上面との間に前記扉部材を収納する扉収納空間を設け、前記扉部材に、外気を導入する吸気口を設けたものであり、上下左右に様々なキャビネットを設けたシステムキッチンにおいても、各キャビネットごとに扉部材を扉収納空間に収納することができるため、見た目にすっきりと家庭電気製品を収納することができ、扉部材を閉めた状態だけでなく、扉部材を開放した状態でも収納した家庭電化製品を動作させることができる。また、扉部材に、外気を導入する吸気口を設けることで、扉部材を閉めた状態で収納した家庭電化製品を動作させるときにも、安定した吸気を確保することができ、さらに、使用者が使いやすい高さに設置できて設置の自由度を高めることができる。
【０００９】
第２の発明は、上記第１の発明において、扉部材の下端付近に扉部材開閉時に操作する把手を設け、扉部材開放時に、扉部材を蒸気処理装置の上方に設けた扉収納空間に収納したとき、前記把手の位置と蒸気排出口の位置が対向しないよう構成したものであり、扉部材を収納した状態で蒸気排出口から排出される蒸気により把手の温度が上昇したり、結露するのを防止することができる。
【００１０】
第３の発明は、上記第１または第２の発明において、扉部材に設けた吸気口は、前記扉部材を収納した状態で、扉部材が扉収納空間から突出している部位で、かつ蒸気排出口上方に略一致している部位に設けたものであり、扉部材を収納した状態で蒸気排出口から排出される蒸気により扉部材に結露するのを防止することができる。
【００１１】
第４の発明は、上記第１の発明において、蒸気排出口は、蒸気処理装置の前面よりも凸となる位置に設けたものであり、蒸気排出口から排出される蒸気により、蒸気処理装置の前面外郭部が結露するのを防止することができる。
【００１２】
以下、本発明の一実施の形態について、図面を参照しながら説明する。なお、この実施の形態によって本発明が限定されるものではない。
【００１３】
（実施の形態）
図１に示すように、キャビネット１は、前面が開口した家庭電気製品収納部２を有し、この家庭電気製品収納部２の中に引き出しレール（図示せず）により前後方向に移動自在に収納台３を設け、この収納台３に家庭電気製品４を載置して家庭電気製品収納部２内に家庭電気製品４を収納するように構成している。蒸気処理装置５は、家庭電気製品収納部２の天面に設け、家庭電気製品４から排出される熱気・蒸気を家庭電気製品収納部２外へ排出するもので、蒸気排出口６を有している。ここで、蒸気排出口６は、蒸気処理装置５の前面よりも凸となる位置に設けている。
【００１４】
扉部材７は、家庭電気製品収納部２の前面開口部を開閉自在に覆うものであり、電気製品収納部２の天井面と蒸気処理装置５の上面との間に扉部材８を収納する扉収納空間８を設けている。また、図２に示すように、扉部材７に吸気口９を設けている。
【００１５】
扉部材７の下端付近に扉部材７の開閉時に操作する把手１０を設け、扉部材７の開放時に、図３に示すように、扉部材７を蒸気処理装置５の上方に設けた扉収納空間８に収納したとき、把手１０の位置と蒸気排出口６の位置が対向しないよう構成している。
【００１６】
また、扉部材７に設けた吸気口９は、扉部材７を蒸気処理装置５の上方に設けた扉収納空間８に収納した状態で、扉部材７が扉収納空間８から突出している部位で、かつ蒸気排出口６に上方に略一致している部位に設けている。
【００１７】
上記構成において動作、作用を説明する。扉部材７の把手１０を持ち上げることで扉部材７を、図１の矢印で示すように、上端を支点としてほぼ水平にし、その後、扉収納空間８に押し込んで扉部材７を扉収納空間８内に収納する。つぎに、家庭電気製品収納部２内の収納台３を、図１の２点鎖線で示すように前方に引き出し、この収納台３上に家庭電気製品４を載置し、収納台３を後方に移動させて家庭電気製品４を家庭電気製品収納部２内に収納し、家庭電気製品４に接続したプラグ１１を家庭電気製品収納部２内に設けたコンセント１２に接続する。これにより、家庭電気製品４は動作可能な状態になり、その後、家庭電気製品４の動作を開始することで、所定の動作をさせることができる。
【００１８】
家庭電気製品４の動作を開始した後、扉部材７を扉収納空間８より引き出し、上端を支点として下降させることで家庭電気製品収納部２の前面開口部を覆う。このとき、蒸気処理装置５を動作させることにより、家庭電気製品４から排出される熱気・蒸気を吸気口９より家庭電気製品収納部２内に吸気した空気とともに家庭電気製品収納部２外へ排出することができる。また、扉部材７を扉収納空間８に収納した状態でも家庭電気製品４の動作させることができる。
【００１９】
ここで、家庭電気製品収納部２の天井面と蒸気処理装置５の上面との間に扉部材７を収納する扉収納空間８を設けているので、上下左右に様々なキャビネットを設けたシステムキッチンにおいても、各キャビネットごとに扉部材７を扉収納空間８に収納することができるため、見た目にすっきりと家庭電気製品４を収納することができ、扉部材７を閉めた状態だけでなく、扉部材７を開放した状態でも収納した家庭電化製品４を動作させることができる。また、扉部材７に、外気を導入する吸気口９を設けているので、扉部材７を閉めた状態で収納した家庭電化製品４を動作させるときにも、安定した吸気を確保することができる。さらに、使用者が使いやすい高さに設置できて設置の自由度を高めることができる。
【００２０】
以上のように、本実施の形態においては、キャビネット１内に、家庭電気製品４を収納する前面が開口した家庭電気製品収納部２を設け、この家庭電気製品収納部２の天面に家庭電気製品４から排出される熱気・蒸気を家庭電気製品収納部２外へ排出する蒸気排出口６を有する蒸気処理装置５を設け、家庭電気製品収納部２の前面開口部を扉部材７により開閉自在に覆うよう構成し、家庭電気製品収納部２の天井面と蒸気処理装置５の上面との間に扉部材７を収納する扉収納空間８を設け、扉部材７に、外気を導入する吸気口９を設けたので、上下左右に様々なキャビネットを設けたシステムキッチンにおいても、見た目にすっきりと家庭電気製品４を収納することができ、扉部材７を閉めた状態だけでなく、扉部材７を開放した状態でも収納した家庭電化製品４を動作させることができるとともに、扉部材７に外気を導入する吸気口９を設けることで、扉部材７を閉めた状態で収納した家庭電化製品４を動作させるときにも、安定した吸気を確保することができ、使用者が使いやすい高さに設置できて設置の自由度を高めることができる。
【００２１】
また、扉部材７の下端付近に扉部材７の開閉時に操作する把手１０を設け、扉部材７の開放時に、扉部材７を扉収納空間８に収納したとき、把手１０の位置と蒸気排出口６の位置が対向しないよう構成したので、扉部材７を収納した状態で蒸気排出口６から排出される蒸気により把手１０の温度が上昇したり、結露するのを防止することができる。
【００２２】
また、扉部材７に設けた吸気口９は、扉部材７を扉収納空間８に収納した状態で、扉部材７が扉収納空間８から突出している部位で、かつ蒸気排出口６の上方に略一致している部位に設けたので、扉部材７を収納した状態で蒸気排出口６から排出される蒸気により扉部材７に結露するのを防止することができる。
【００２３】
また、蒸気排出口６は、蒸気処理装置５の前面よりも凸となる位置に設けたので、蒸気排出口６から排出される蒸気により、蒸気処理装置５の前面外郭部が結露するのを防止することができる。
【産業上の利用可能性】
【００２４】
以上のように、本発明にかかる家庭電気製品収納庫は、上下左右に様々なキャビネットを設けたシステムキッチンにおいても、見た目にすっきりと家庭電気製品を収納することができ、扉部材を閉めた状態だけでなく、扉部材を開放した状態でも収納した家庭電化製品を動作させることができるとともに、扉部材に外気を導入する吸気口を設けることで、扉部材を閉めた状態で収納した家庭電化製品を動作させるときにも、安定した吸気を確保することができ、使用者が使いやすい高さに設置できて設置の自由度を高めることができるので、家庭電気製品を収納した状態で使用できるようにした家庭電気製品収納庫として有用である。
【図面の簡単な説明】
【００２５】
【図１】本発明の一実施の形態における家庭電気製品収納庫の断面図
【図２】同家庭電気製品収納庫の斜視図
【図３】同家庭電気製品収納庫の扉部材を開いた状態の斜視図
【符号の説明】
【００２６】
１  キャビネット
２  家庭電気製品収納部
４  家庭電気製品
５  蒸気処理装置
６  蒸気排出口
７  扉部材
８  扉収納空間
９  吸気口
【図１】
2006334130.tif 000003
【図２】
2006334130.tif 000004
【図３】
2006334130.tif 000005